(57)【要約】      （修正有）【課題】洗い場フロアから表面シートが剥がれることを確実に防止できる浴室フロアを提供する。【解決手段】洗い場フロア１１の底面部の縁部に形成された立ち上がり部１５と、浴槽フロアの底面部１７ａの縁部に形成された立ち上がり部１８とを接合して浴室フロアを形成した。また、洗い場フロア本体の底面部１３ｄに表面シート１６を貼り付けて、洗い場フロア１１の立ち上がり部１５と浴槽フロア１７の立ち上がり部１８との接合部をカバー部材２０で覆うとともに、カバー部材２０の洗い場フロア１１側部分の下端部２２ａで表面シート１６の縁部を上方から押さえた。【選択図】図２
2014129649.tif 000002
【特許請求の範囲】
【請求項１】
洗い場フロアの本体の底面部の縁部に形成された立ち上がり部と、浴槽フロアの底面部の縁部に形成された立ち上がり部とを接合して形成された浴室フロア本体と、
前記洗い場フロアの本体の表面に貼り付けられた表面シートと、
前記洗い場フロアの立ち上がり部と前記浴槽フロアの立ち上がり部との接合部を覆うとともに、一端が前記洗い場フロアの本体の底面部側に延びて前記表面シートを上方から押さえるカバー部材と
を備えたことを特徴とする浴室フロア。
【請求項２】
前記表面シートが前記洗い場フロアの本体の底面部だけに貼り付けられ、前記カバー部材が前記表面シートの縁部を押さえた請求項１に記載の浴室フロア。
【請求項３】
前記カバー部材の上端部に、前記浴槽フロアに設置される浴槽の側面に設けられ下端面に凹部または凸部が形成されたエプロンを設置するための設置面を形成するとともに、前記設置面における前記洗い場フロア側部分に前記凹部または前記凸部に係合できる係合用突部または係合用凹部を形成した請求項１または２に記載の浴室フロア。
【発明の詳細な説明】
【技術分野】
【０００１】
本発明は、洗い場フロアと浴槽フロアとを接合して形成される浴室フロアに関する。
【背景技術】
【０００２】
従来から、システムバスにおいては、洗い場フロアと浴槽フロアとを接合して浴室フロアを形成し、浴槽フロアに浴槽を設置している。また、洗い場フロアの中には、洗い場フロアの本体を構成する成形体の表面に表面シートを貼り付けたものもある（例えば、特許文献１参照）。この洗い場フロア（洗い場床部）は、浴槽側に土手部が形成された基材と、基材の表面側に貼り合された表面材とで構成されており、表面材における浴槽側部分は土手部の上部側まで延びている。そして、土手部の上部側まで延びた表面材の上端側部分は、浴槽の側面に取り付けられたバスエプロンの裏面下部によって土手部の側面に押し当てられており、これによって、表面材が土手部から剥がれ難くなっている。
【先行技術文献】
【特許文献】
【０００３】
【特許文献１】特開２０１０−２２７５０１号公報
【発明の概要】
【０００４】
一般に、浴槽の側面に取り付けられるバスエプロンは、浴槽フロアを清掃したり、浴槽フロアに設置された機器等を点検や修理したりするメンテナンスの際には、取り外さなければならないため、容易に取り外しができるように構成されている。このため、前述した従来の洗い場フロアでは、土手部の上面に凸部を設け、バスエプロンの裏面には、土手部の凸部と噛合できる下に突出した凸部が設けられた取付治具を取り付けて、両凸部を噛合させることにより、バスエプロンの取り付けが容易にできるとともに、取り外しも容易にできるようにしている。しかしながら、このように、バスエプロンの裏面を表面材に側方から当てるだけでは、表面材が土手部から剥がれることを確実に防止することは難しい。
【０００５】
本発明は、前述した問題に対処するためになされたもので、その目的は、洗い場フロアから表面シートが剥がれることを確実に防止できる浴室フロアを提供することである。なお、下記本発明の各構成要件の記載においては、本発明の理解を容易にするために、実施形態の対応箇所の符号を括弧内に記載しているが、本発明の構成要件は、実施形態の符号によって示された対応箇所の構成に限定解釈されるべきものではない。
【０００６】
前述した目的を達成するため、本発明に係る浴室フロアの構成上の特徴は、洗い場フロアの本体（１３）の底面部（１３ｄ）の縁部に形成された立ち上がり部（１５）と、浴槽フロア（１７）の底面部（１７ａ）の縁部に形成された立ち上がり部（１８）とを接合して形成された浴室フロア本体と、洗い場フロアの本体の表面に貼り付けられた表面シート（１６）と、洗い場フロアの立ち上がり部と浴槽フロアの立ち上がり部との接合部を覆うとともに、一端（２２ａ）が洗い場フロアの本体の底面部側に延びて表面シートを上方から押さえるカバー部材（２０）とを備えたことにある。
【０００７】
本発明に係る浴室フロアでは、洗い場フロアの立ち上がり部と浴槽フロアの立ち上がり部との接合部、すなわち洗い場フロアと浴槽フロアとの隣接する両立ち上がり部の少なくとも境界部をカバー部材で覆い、カバー部材の洗い場フロア側部分を洗い場フロアの底面部側に延ばして表面シートを上方から押さえるようにしている。このカバー部材は着脱する必要はなく、常時洗い場フロアの立ち上がり部と浴槽フロアの立ち上がり部との接合部に固定しておくことができる。すなわち、カバー部材で表面シートを上方から洗い場フロアの本体の底面部に常時押さえ付けているため、表面シートが洗い場フロアの本体から剥がれることを確実に防止できる。
【０００８】
また、カバー部材は、洗い場フロアの立ち上がり部と浴槽フロアの立ち上がり部との接合部および表面シートの縁部を覆い隠すことができるため、美観が増すとともに、洗い場フロアの立ち上がり部と浴槽フロアの立ち上がり部との接合部に水が掛かることを防止できるので、接合部に水が浸入することをより確実に防止できる。なお、洗い場フロアにおける底面部と立ち上がり部との境界は直交するように形成しても曲面状に形成してもよく、曲面状に形成した場合には、洗い場フロアの本体におけるカバー部材によって表面シートが押し付けられる部分に曲面状の部分が含まれていてもよい。また、表面シートは、洗い場フロアの底面部だけに貼り付けられていても、立ち上がり部の側面まで貼り付けられていてもよい。
【０００９】
さらに、表面シートとしては、洗い場フロアの本体の表面形状に追従して変形できる軟質材料で構成されたものであってもよいし、ある程度の硬さを備えた材料で構成され所定の形状に形成されたものであってもよい。また、カバー部材としては、少なくとも洗い場フロアの立ち上がり部と浴槽フロアの立ち上がり部との接合部を覆う部分と、表面シートを上方から押さえる部分とが備わっていればよいが、洗い場フロアの立ち上がり部と浴槽フロアの立ち上がり部との接合部における上面、洗い場フロア側側面および浴槽フロア側側面を覆える断面形状がコ字状またはそれに近い形状の部材を用いることが好ましい。これによると、カバー部材を、洗い場フロアの立ち上がり部と浴槽フロアの立ち上がり部との接合部の適正位置に容易に設置することができる。
【００１０】
本発明に係る浴室フロアの他の構成上の特徴は、表面シートが洗い場フロアの本体の底面部だけに貼り付けられ、カバー部材が表面シートの縁部を押さえたことにある。本発明によると、表面シートに無駄な部分がなくなるとともに、表面シートの縁部を押さえることによって、洗い場フロアの本体からめくれる部分がなくなる。また、洗い場フロアの立ち上がり部に表面シートが位置しなくなるため、カバー部材の取り付けが容易になる。
【００１１】
本発明に係る浴室フロアのさらに他の構成上の特徴は、カバー部材の上端部（２１）に、浴槽フロアに設置される浴槽の側面に設けられ下端面に凹部（２５ａ）または凸部が形成されたエプロン（２５）を設置するための設置面を形成するとともに、設置面における洗い場フロア側部分に凹部または凸部に係合できる係合用突部（２１ａ）または係合用凹部を形成したことにある。
【００１２】
本発明は、カバー部材の上面および係合用突部または係合用凹部を、エプロンの設置に利用するようにしたものである。本発明によると、エプロンの重さをカバー部材を介して表面シートに作用させることができるため、表面シートが洗い場フロアの本体から剥がれることをより確実に防止できる。また、エプロンへの取付治具の取り付けが不要になる。なお、この場合の係合用突部や係合用凹部は、連続した突条や溝条であってもよいし、間隔を保って配置された複数の突部や凹部であってもよい。
【図面の簡単な説明】
【００１３】
【図１】本発明の一実施形態に係る浴室フロアを示した斜視図である。
【図２】図１に示した浴室フロアの分解斜視図である。
【図３】表面シートを示した斜視図である。
【図４】洗い場フロアと浴槽フロアとの接合部を示した断面図である。
【図５】カバー部材を示した斜視図である。
【発明を実施するための形態】
【００１４】
以下、本発明の一実施形態を図面を用いて説明する。図１は同実施形態に係る浴室フロア１０を示しており、図２はその分解図を示している。この浴室フロア１０は、洗い場フロア１１と、浴槽フロア１７と、カバー部材２０とで構成されている。以下、洗い場フロア１１側を前方、浴槽フロア１７を後方とし、左右方向は、洗い場フロア１１側から浴槽フロア１７側を見たときの左右方向として説明する。洗い場フロア１１は、フレーム１２と、フレーム１２の上部に設置された洗い場フロア本体１３と、洗い場フロア本体１３の上面に貼り付けられた表面シート１６とで構成されている。フレーム１２は、金属製の中空角材を枠状に組み立てて構成されるフレーム本体１２ａと、フレーム本体１２ａの四隅の下部にそれぞれ設けられた４個の脚部（図示せず）等で構成されている。
【００１５】
洗い場フロア本体１３は、それぞれ発泡ポリスチレンの成形体からなる複数の分割フロア１３ａ，１３ｂ，１３ｃと排水部フロア１４とを組み付けて構成されている。分割フロア１３ａはフレーム１２の右側に配置され、分割フロア１３ｂはフレーム１２の左側に設置され前後および左右の長さが同じになっている。分割フロア１３ｃは、分割フロア１３ａ，１３ｂよりも左右の長さが少し長く前後の長さが短くなっており、前端部をフレーム１２の前部に合わせ、後端部をフレーム１２の後端から距離をおいて分割フロア１３ａ，１３ｂ間に配置されている。
【００１６】
排水部フロア１４は、分割フロア１３ａ，１３ｂに挟まれて分割フロア１３ｃの後方に配置されており、前後よりも左右に長い長方形の小フロア１４ａの左右方向の中央における後部に略四角箱形の排水口部１４ｂを形成して構成されている。この排水部フロア１４を設置することによって、前述したように、分割フロア１３ｃは、分割フロア１３ａ，１３ｂよりも前後の長さが短くなっている。また、小フロア１４ａの上面は排水口部１４ｂに向かって下り傾斜になった傾斜曲面で構成されており、排水口部１４ｂの底部には外部に連通する排水口（図示せず）が形成されている。
【００１７】
分割フロア１３ａ，１３ｂ，１３ｃの上面は、分割フロア１３ａ，１３ｂ，１３ｃが組み付けられて洗い場フロア本体１３を形成したときの上面が後縁部および左右の縁部側から後端中央の排水口部１４ｂに向かって下り傾斜になるように形成されている。そして、分割フロア１３ａ，１３ｂ，１３ｃの後縁部には、それぞれ上方に突出する突部が形成されており、これらの突部で立ち上がり部１５が形成されている。この立ち上がり部１５は、洗い場フロア本体１３の底面部１３ｄに対して略直交して上方に延びている。
【００１８】
また、立ち上がり部１５の上面における前部側部分には左右に延びる突部１５ａ（図４参照）が形成されており、これによって、立ち上がり部１５の上面における前部側部分は中央部分から後端にかけての部分よりも僅かに高くなっている。立ち上がり部１５の上面を構成する前部側部分とそれ以外の部分とはそれぞれ水平面で構成されており、このため、立ち上がり部１５の洗い場フロア本体１３の底面部１３ｄからの高さは、中央側が高く、左右両側にいくほど低くなっている。また、立ち上がり部１５の上面における後部側には、左右方向に間隔を保って複数のねじ穴１５ｂが形成されている。
【００１９】
表面シート１６は、図３に示したように、洗い場フロア本体１３の底面部１３ｄに沿える形状に形成されており、厚みが、３〜５ｍｍのポリ塩化ビニルの成形体で構成されている。表面シート１６は、洗い場フロア本体１３における排水口部１４ｂおよび立ち上がり部１５を除いた部分の上面に貼り付けられており、排水口部１４ｂに対応する部分には、後部が開放された開口１６ａが形成されている。また、図示は省略しているが、表面シート１６の表面には、滑り止めの目的と、美観を向上させる目的のための凹凸模様が施されている。さらに、表面シート１６は、洗い場フロア本体１３を構成する分割フロア１３ａ，１３ｂ，１３ｃや排水部フロア１４の境界部の繋ぎ目を隠す機能や、クッション性および防水性を向上させる機能も備えている。
【００２０】
浴槽フロア１７は、底面部１７ａと、底面部１７ａの周縁部に設けられた立ち上がり部１７ｂとからなっており、底面部１７ａの左右両側には浴槽フロア１７の下を点検するための点検口１７ｃが形成され、前部中央には配管用穴部１７ｄが形成されている。また、立ち上がり部１７ｂの前端に位置する立ち上がり部１８は、図４に示したように、下方から前方側斜め上方に傾斜して延びた傾斜部１８ａと、傾斜部１８ａの上端から前方に向かって水平に延びるフランジ部１８ｂとで構成されており、傾斜部１８ａの後面とフランジ部１８ｂの上面とが交差する部分には傾斜面１８ｃが形成されている。
【００２１】
なお、立ち上がり部１８における左右両側と中央部分の傾斜面は図４に示した傾斜部１８ａよりも垂直に近い傾斜面になっている。フランジ部１８ｂの下面における前部側部分には、立ち上がり部１５の突部１５ａに対応して左右に延びる凹部（段部）１８ｄが形成されており、これによって、フランジ部１８ｂの下面における前部側部分は中央部分から後端にかけての部分よりも僅かに高くなっている。
【００２２】
また、フランジ部１８ｂの下面における後部側に、下方に突出した状態で左右に延びる突起からなるシール部１８ｅが形成され、フランジ部１８ｂにおける凹部１８ｄとシール部１８ｅとの間の部分には左右方向に一定間隔で上下に貫通するねじ挿通穴１８ｆが形成されている。そして、浴槽フロア１７は、フランジ部１８ｂの下面を立ち上がり部１５の上端面に位置させて、洗い場フロア１１に組み付けられる。このとき、シール部１８ｅが立ち上がり部１５の上端面の後部側部分に当接し、凹部１８ｄと突部１５ａとが対向する。また、フランジ部１８ｂの下面の幅と、立ち上がり部１５の上端面の幅とは略同じ長さに設定されて、フランジ部１８ｂの前端面と立ち上がり部１５の前側面との間に段差が生じないようにして立ち上がり部１５とフランジ部１８ｂとが組み付けられている。なお、シール部１８ｅにはコーキング等のシール部材を設けても良い。
【００２３】
カバー部材２０は、図５に示したように、ＡＢＳなどの硬質な樹脂で成形されており、上面部２１と、洗い場側側面部２２と、浴槽側係止部２３とで構成されている。上面部２１は、フランジ部１８ｂの上面を覆える平面板状に形成されており、その上面は本発明に係る設置面を構成する。また、上面部２１の上面における前部側には、左右に延びる係合用突部２１ａが形成され、上面部２１の下面における前部側と後部側とには、それぞれ小さな突条２１ｂ，２１ｃが形成されている。そして、上面部２１には、上下に貫通する複数のねじ挿通穴２１ｄが左右方向に間隔を保って形成されている。
【００２４】
洗い場側側面部２２は、上面部２１の前縁部から下方に延びる板状に形成されており、その下端部２２ａは表面シート１６の後縁部を押圧できる位置まで延びている。すなわち、洗い場側側面部２２の下縁部は左右両側から中央側に行くほど下方まで延び、中央部分には、排水口部１４ｂの内部後端部分に向かって僅かに突出する突出部２２ｂが形成されている。また、洗い場側側面部２２の後面におけるフランジ部１８ｂの前端面に対向する部分には後方に突出する突条２２ｃが左右に延びている。浴槽側係止部２３は、上面部２１の後縁部から後方斜め下方に延びる上下（前後）方向の幅が小さな板状に形成されており、浴槽側係止部２３と上面部２１との角度は、立ち上がり部１８におけるフランジ部１８ｂの上面と傾斜面１８ｃとの角度と同じに設定されている。
【００２５】
このように構成されたカバー部材２０は、上面部２１をフランジ部１８ｂの上面に合わせ、浴槽側係止部２３を傾斜面１８ｃに合わせた状態で立ち上がり部１５とフランジ部１８ｂとの接合部を覆っており、このとき、洗い場側側面部２２は、突出部２２ｂを排水口部１４ｂの内部後端部分に位置させ、突条２２ｃをフランジ部１８ｂの前端面に当接させ、下端部２２ａを表面シート１６の後縁部に当接させる。また、上面部２１の下面の突条２１ｂ，２１ｃは、それぞれフランジ部１８ｂの上面に当接する。そして、カバー部材２０は、ねじ（図示せず）を、上面部２１のねじ挿通穴２１ｄおよびフランジ部１８ｂのねじ挿通穴１８ｆに通し、立ち上がり部１５のねじ穴１５ｂに螺合させることにより立ち上がり部１５とフランジ部１８ｂとの接合部に固定される。
【００２６】
これによって、上面部２１の突条２１ｂ，２１ｃがフランジ部１８ｂの上面に圧接し、洗い場側側面部２２の突条２２ｃがフランジ部１８ｂの前端面に圧接し、下端部２２ａが表面シート１６の後縁部を洗い場フロア本体１３の底面部１３ｄに押し付ける。このように、カバー部材２０は、立ち上がり部１５とフランジ部１８ｂとの接合部を覆い隠すことによって、美観を高めるとともに、表面シート１６を洗い場フロア本体１３の底面部１３ｄに押し付けて表面シート１６が洗い場フロア本体１３から剥がれることを防止する。また、カバー部材２０は、洗い場フロア１１上の湯水が、立ち上がり部１５と立ち上がり部１８との接合部に付着することも防止する。
【００２７】
また、上面部２１の上面には、エプロン２５が設置される。このエプロン２５は浴槽の前側面側に設置されて、浴槽の前側面を覆い隠すもので、板状に形成され、その下端面には、カバー部材２０の係合用突部２１ａに係合できる凹部からなる溝条２５ａが形成されている。また、図示は省略するが、浴槽の前側面部の上端には、前方水平方向に延びた後に屈曲して下方に延びるフランジ状の縁部が形成されており、エプロン２５は、上部をこの縁部の内部に挿入して持ち上げたのちに、下端面の溝条２５ａをカバー部材２０の係合用突部２１ａに係合させることによって、浴槽の前面側に設置されている。
【００２８】
このエプロン２５の重さは、カバー部材２０を介して表面シート１６に作用する。これによって、表面シート１６は洗い場フロア本体１３の底面部１３ｄにさらに強く押し付けられ表面シート１６が洗い場フロア本体１３から剥がれることをより確実に防止する。また、エプロン２５を取り外す際には、エプロン２５を上方に持ち上げて下部を前方に移動させることにより容易に取り外すことができる。
【００２９】
このように、本実施形態に係る浴室フロア１０では、洗い場フロア１１の立ち上がり部１５と浴槽フロア１７の立ち上がり部１８とを接合して、その接合部をカバー部材２０で覆うとともに、表面シート１６の後縁部を上方から押さえて洗い場フロア本体１３の底面部１３ｄに押し付けるようにしている。このカバー部材２０は、ねじで立ち上がり部１５とフランジ部１８ｂとの接合部に固定され、取り外す必要のないものであるため、表面シート１６の後縁部は常時上方から洗い場フロア本体１３の底面部１３ｄに押さえ付けられる。このため、表面シート１６が洗い場フロア本体１３から剥がれることを確実に防止できる。また、カバー部材２０は、洗い場フロア１１の立ち上がり部１５と浴槽フロア１７の立ち上がり部１８との接合部および表面シート１６の後縁部を覆い隠せるため、美観が増すとともに、立ち上がり部１５と立ち上がり部１８との接合部に湯水が付着することを防止できる。
【００３０】
また、本実施形態に係る浴室フロア１０では、カバー部材２０の上面部２１の上面における前部側に係合用突部２１ａを設けて、この係合用突部２１ａに、エプロン２５の下端面に形成された溝条２５ａを係合させることにより、エプロン２５を上面部２１の上面に設置できるようにしている。これによると、エプロン２５の重さがカバー部材２０を介して表面シート１６にかかるようになり、表面シート１６が洗い場フロア本体１３から剥がれることをより確実に防止できる。また、この場合、エプロン２５は上面部２１の上面に載せるだけですむため、エプロン２５を設置するための取付治具等は不要になる。
【００３１】
また、本発明に係る浴室フロアは、前述した実施形態に限定するものでなく、本発明の技術的範囲において適宜変更して実施することができる。例えば、前述した実施形態では、洗い場フロア１１の立ち上がり部１５が洗い場フロア本体１３に対して略直交するようにして上方に延びているが、この洗い場フロア本体１３の底面部と立ち上がり部１５の前面とは滑らかな曲面で接続されていてもよい。この場合、表面シート１６の後縁部は、立ち上がり部１５の前面下部から上部にかけての所定部分まで延ばしてもよい。そして、カバー部材２０の下端部２２ａは、洗い場フロア本体１３の曲面に対応する形状にして、洗い場フロア本体１３の底面部から曲面の部分を押圧できるようにする。
【００３２】
また、前述した実施形態では、表面シート１６を、洗い場フロア本体１３の上面形状に沿った形状に成形された軟質のシートで構成しているが、成形せずに洗い場フロア本体１３の上面形状に追従して自在に変形できる軟質のシートを用いることもできる。この場合、表面シートを構成する軟質シートとしては、前述した塩化ビニルの他、例えば、スチレン・ポリエステル・オレフィン・アクリル系の各種エラストマーやゴム材料等から選択したもので構成することができる。これによると、表面シートは、平面状のシートで構成され、洗い場フロア本体１３の上面に貼り付けられることによって、洗い場フロア本体１３の上面と同じ形状になる。また、軟質のシートの他に、洗い場フロア本体１３の上面形状に沿った形状に成形された比較的硬質のシートで構成しても良い。この場合、ポリエステル、オレフィン、アクリル系などの硬質樹脂が挙げられる。
【００３３】
また、カバー部材２０としては、浴槽側係止部２３を除いて、上面部２１と洗い場側側面部２２とで構成したものを用いてもよいし、浴槽側係止部２３をさらに下方まで延ばしたものを用いてもよい。さらに、係合用突部２１ａに代えて上面部２１の上面に溝条を設け、エプロン２５の下端面に突条を設けてもよい。また、係合用突部２１ａに代えて上面部２１の上面に複数の突部を間隔を保って設け、エプロン２５の下端面に複数の凹部を間隔を保って設けてもよいし、上面部２１の上面に複数の凹部を間隔を保って設け、エプロン２５の下端面に複数の突部を間隔を保って設けてもよい。また、実施例ではカバー部材の材質をＡＢＳなどの樹脂で成形したものを例示したが、ステンレス等の金属などで形成してもよい。さらに、浴室フロアを構成するその他の部分についても、本発明の技術的範囲において適宜変更して実施することができる。
【符号の説明】
【００３４】
１０…浴室フロア、１１…洗い場フロア、１３…洗い場フロア本体、１５，１８…立ち上がり部、１６…表面シート、１７…浴槽フロア、１３ｄ，１７ａ…底面部、２０…カバー部材、２１…上面部、２１ａ…係合用突部、２２ａ…下端部、２５…エプロン、２５ａ…溝条。
【図１】
2014129649.tif 000003
【図２】
2014129649.tif 000004
【図３】
2014129649.tif 000005
【図４】
2014129649.tif 000006
【図５】
2014129649.tif 000007